(57)【要約】【課題】電力消費を抑制し得る物品トレイを提供する。【解決手段】物品トレイは、物品を保持する物品ホルダと、前記物品ホルダに保持される物品の状態を表す物品情報を検出する物品センサと、前記物品トレイが収納された保管庫のドアにおける開閉に基づいて、前記物品情報を送信する通信部と、を備える。【選択図】図１
2020180739.tif 000002
【特許請求の範囲】
【請求項１】
物品トレイであって、
物品を保持する物品ホルダと、
前記物品ホルダに保持される前記物品の状態を表す物品情報を検出する物品センサと、
前記物品トレイが収納された保管庫のドアにおける開閉に基づいて、前記物品情報を送信する通信部と、
を備える物品トレイ。
【請求項２】
前記通信部は、前記保管庫のドアが開いている場合に、前記物品情報を送信する、請求項１に記載の物品トレイ。
【請求項３】
前記物品センサおよび前記通信部に電力を供給する電池を備える、請求項１または２に記載の物品トレイ。
【請求項４】
前記保管庫のドアの開閉を検出するドアセンサを備え、
前記通信部は、前記ドアセンサが検出したドアの開閉情報に基づいて、前記物品情報を送信する、請求項１〜３のいずれか１項に記載の物品トレイ。
【請求項５】
前記保管庫のドアの開閉により発電する発電部を備え、
前記通信部は、前記発電部による発電の検知に基づいて、前記物品情報を送信する、請求項１〜３のいずれか１項に記載の物品トレイ。
【請求項６】
前記保管庫は、冷蔵庫であり、
請求項１〜５のいずれか１項に記載の物品トレイを有する冷蔵庫。
【請求項７】
請求項１〜５のいずれか１項に記載の物品トレイと、
前記物品トレイから送信された前記物品情報を記憶する記憶部と、
前記物品情報に基づいて、通知する通知部と、
を備える物品トレイシステム。
【発明の詳細な説明】
【技術分野】
【０００１】
本発明は、物品トレイ、冷蔵庫、及び物品トレイシステムに関する。
【背景技術】
【０００２】
例えば、特許文献１には、冷蔵庫等の保管庫に備えられる物品トレイにおいて、外部装置と通信により、物品情報を出力する通信手段を備えることが開示されている。
【先行技術文献】
【特許文献】
【０００３】
【特許文献１】特開２００３−１１４０７５号公報
【発明の概要】
【発明が解決しようとする課題】
【０００４】
しかしながら、特許文献１においては、例えば、外部装置との通信が保管庫である冷蔵庫と物品トレイとが近づいた際に自動的に開始される。そのため、物品トレイが冷蔵庫に収納された場合などの冷蔵庫と物品トレイが近くにある場合には、常に通信が行われ、物品トレイにおける電力消費が多くなり得る。そこで、本発明の一形態は、例えば、電力消費を抑制し得る物品トレイを提供することを目的とする。
【課題を解決するための手段】
【０００５】
本発明の一形態の物品トレイは、物品を保持する物品ホルダと、前記物品ホルダに保持される物品の状態を表す物品情報を検出する物品センサと、前記物品トレイが収納された保管庫のドアにおける開閉に基づいて、前記物品情報を送信する通信部と、を備える。
【図面の簡単な説明】
【０００６】
【図１】第１の実施形態に係る物品トレイシステムの一例を示す図である。
【図２】第１の実施形態に係る牛乳トレイの一例を示す図である。
【図３】図２に示す牛乳トレイの断面図である。
【図４】図１示す物品トレイの制御部の機能的構成の一例を示す図である。
【図５】図１に示す端末装置の制御部の機能的構成の一例を示す図である。
【図６】図１に示す牛乳トレイにおける処理フローの一例を示す図である。
【図７】図１に示す端末装置における処理フローの一例を示す図である。
【図８】物品トレイの変形例である卵トレイの一例を示す図である。
【図９】図８に示す卵トレイの上面図である。
【図１０】第２の実施形態に係る物品トレイシステムの一例を示す図である。
【図１１】第２の実施形態に係るビールトレイの一例を示す図である。
【図１２】図１１に示すビールトレイの断面図である。
【図１３】図１０に示す電源部の一例を示す図である。
【図１４】図１０に示すビールトレイの制御部の機能的構成の一例を示す図である。
【図１５】図１０に示すビールトレイにおける処理フローの一例を示す図である。
【発明を実施するための形態】
【０００７】
以下、本発明の実施形態について、図面を参照しつつ説明する。なお、図面については、同一又は同等の要素には同一の符号を付し、重複する説明は省略する。
【０００８】
（第１の実施形態）
図１は、本実施形態にかかる物品トレイシステムの一例を示す図である。また、本実施形態においては、物品１５０である牛乳パックを保持する牛乳トレイ（物品トレイ）１１０が、冷蔵庫（図示せず）に収納されている場合を例に説明する。
【０００９】
図１に示すように、本実施形態における物品トレイシステム１００は、牛乳トレイ１１０、ネットワーク１２０、端末装置１３０を含む。これら牛乳トレイ１１０、端末装置１３０は、ネットワーク１２０を介して接続されている。牛乳トレイ１１０は、例えば、冷蔵庫等のドアを有する保管庫に収納され、物品１５０である牛乳パックを保持する。つまり、本実施形態において、保管庫は、庫内が冷却された冷蔵庫に相当する。ネットワーク１２０は、例えば、インターネットやBluetooth（登録商標）等に相当する。端末装置１３０は、例えば、スマートフォン等の機器である。なお、牛乳トレイ１１０および端末装置１３０は、例えば、ＩＤ等で識別される。なお、例えば、牛乳トレイ１１０は、ユーザーが予め牛乳パックを保持することを登録することにより牛乳パックが保持されるこが認識される。
【００１０】
次に、本実施の形態における牛乳トレイ１１０の制御部１１１を中心とした主な構成の一例について説明する。牛乳トレイ１１０は、例えば、制御部１１１、記憶部１１２、通信部１１３、ドアセンサ１１４、物品センサ１１５、電源部１１６等を含む。制御部１１１は、例えばＣＰＵ、ＭＰＵ等であって、記憶部１１２に格納されるプログラムに従って各種の情報処理を実行する。記憶部１１２は、例えばフラッシュメモリやＲＡＭ等であって、制御部１１１によって実行されるプログラムや、各種のデータを保持する。また、記憶部１１２は、制御部１１１のワークメモリとしても動作する。通信部１１３は、インターフェース等であって、ネットワーク１２０を介して、端末装置１３０と通信する。なお、牛乳トレイ１１０は、上記の各部の他に、例えば温度センサ等を含んでもよく、それぞれ制御部１１１に接続され、制御される。なお、ドアセンサ１１４、物品センサ１１５、電源部１１６については後述する。
【００１１】
次に、本実施の形態における端末装置１３０の制御部１３１を中心とした主な構成の一例について説明する。端末装置１３０は、上記牛乳トレイ１１０と同様に、例えば、制御部１３１、記憶部１３２、通信部１３３、表示部１３４等を含む。なお、制御部１３１、記憶部１３２、通信部１３３の主な構成は上記牛乳トレイ１１０と同様であるので、説明を省略する。また、表示部１３４は、各種表示を行う。
【００１２】
図２は、牛乳トレイ１１０の具体的な一例を示す図である。図３は、牛乳トレイにおける要部断面図である。
【００１３】
図２、３に示すように、本実施形態にかかる牛乳トレイ１１０は、物品ホルダ２０１、通信部１１３、ドアセンサ１１４、物品センサ１１５、電源部１１６を含む。
【００１４】
物品ホルダ２０１は、例えば、物品としての牛乳を保持する。本実施形態では、例えば、紙パックに収容されている牛乳パックを牛乳とする。物品ホルダ２０１は、例えば、牛乳パックを保持するために周囲にリブを有する矩形となっている。なお、本実施形態においては、物品として牛乳を挙げているが、これに限定されるものではなく、物品としては、例えば、ジュース、ビール等の瓶、缶、紙パック等に詰められた飲み物、卵等の食品等でもよい。また、物品ホルダ２０１に保持される物品は、例えば、ユーザーが登録するなどして、予め決められるように構成してもよい。
【００１５】
ドアセンサ１１４は、牛乳トレイ１１０が収納された冷蔵庫等の保管庫のドアの開閉を検出する。ドアセンサ１１４としては、例えば、光センサ、加速度センサ、気圧センサ等が挙げられる。
【００１６】
物品センサ１１５は、例えば、物品ホルダ２０１に牛乳パックが保持されているか否かを検出する。物品センサ１１５としては、例えば、重量センサ、距離センサ等が挙げられる。
【００１７】
電源部１１６は、牛乳トレイ１１０の各部に電力を供給する。電源部１１６としては、例えば、電池、蓄電池等が挙げられる。
【００１８】
図４は、図１に示す牛乳トレイ１１０における制御部１１１の機能的構成の一例を示す図である。図４に示すように、本実施形態における制御部１１１は、例えば、ドア開閉情報取得部４０１、物品情報取得部４０２、送信制御部４０３を含む。
【００１９】
ドア開閉情報取得部４０１は、例えば、牛乳トレイ１１０に設けられたドアセンサ１１４から、牛乳トレイ１１０が収納されている冷蔵庫等の保管庫のドアの開閉を表すドア開閉情報を取得する。
【００２０】
例えば、ドアセンサ１１４は、光センサを用いた場合、光センサで検出される光量が所定値以上になった場合、ドアが開いたことを示すドア開閉情報を出力し、検出される光量が所定値未満になった場合、ドアが閉まったことを示すドア開閉情報を出力する。なお、例えば、上記ドアセンサ１１４として、加速度センサを用いてもよく、ドア開閉情報取得部４０１は、加速度センサで検出された揺れに基づいて、ドア開閉情報を出力する。さらに、ドアセンサ１１４として、例えば、光センサと加速度センサとを併用する等、複数組み合わせたものであってもよい。複数のセンサを組み合わせることにより、より確実にドアの開閉を検出することができる。
【００２１】
物品情報取得部４０２は、例えば、取得したドア開閉情報に基づいて、上記物品ホルダ２０１に保持される物品の状態を表す物品情報を取得する。より具体的には、物品情報取得部４０２は、例えば、ドア開閉情報に基づいて、物品センサ１１５から、牛乳トレイ１１０の物品ホルダ２０１に物品が保持されているか否かを表す物品情報を取得する。例えば、物品センサ１１５が重量センサである場合、物品情報取得部４０２は、重量センサが重量を検知した場合に、物品が物品ホルダ２０１に保持されていることを表す物品情報を取得し、重量センサが重量を検知しない場合には、物品が物品ホルダ２０１に保持されていないことを表す物品情報を取得する。このように、ドアの開閉情報に基づいて、物品情報を取得するため、物品情報の取得のタイミングが限定され、物品センサ１１５における電力消費を抑制し得る。
【００２２】
送信制御部４０３は、例えば、ドア開閉情報に基づいて、物品情報取得部４０２が取得した物品情報を通信部１１３から送信させる。このように、物品情報の送信のタイミングがドア開閉情報のタイミングに限定されるため、通信部１１３における電力消費を抑制し得る。なお、この物品情報の送信先は、例えば、端末装置１３０である。この端末装置に１３０への送信は、直接送信しても、ネットワーク１２０を介して送信しても、図示しないサーバ装置等を介して送信してもよい。特に、送信制御部４０３は、ドアが開いた際に、物品情報を通信部１１３から送信させることにより、物品トレイが密閉状態となっておらず、通信が妨げられる要素がより少ないため、より確実に物品情報を送信することができる。一方、送信制御部４０３は、ドアが閉じた際に、物品情報を通信部１１３から送信させる場合、保管庫におけるユーザーの作業が終わった後であると考えられ、物品のより最新の情報を送信することができる。
【００２３】
さらに、上記物品情報としては、例えば、物品の重量、物品の温度等の物品の状態に関する情報を含んでいてもよい。物品の重量情報は、重量センサで検出することができる。また、物品の温度は、例えば、物品センサ１１５に温度センサを有することにより、検出することができる。
【００２４】
なお、例えば、上記物品センサ１１５が検出した物品情報は、記憶部１１２に記憶されるが、本実施形態においては、物品情報は送信された後は不要となる。そのため、記憶部１１２は、大容量である必要がなく、例えば一時記憶できればよいため、簡易に部品構成にすることができる。
【００２５】
図５は、端末装置１３０の制御部１３１の機能的構成の一例を示す図である。図５に示すように、本実施形態における制御部１３１は、例えば、端末側物品情報取得部５０１、物品情報処理部５０２、通知部５０３を含む。
【００２６】
端末側物品情報取得部５０１は、例えば、物品情報を取得する。この物品情報は、例えば、牛乳トレイ１１０から送信された物品情報である。取得した物品情報は、例えば、記憶部１３２に記憶される。
【００２７】
物品情報処理部５０２は、例えば、取得した物品情報に基づいて、記憶部１３２に記憶されている物品情報を更新する。より具体的には、物品情報処理部５０２は、例えば、前に取得され、記憶部１３２に記憶されていた牛乳トレイ１１０の物品情報を、取得した物品情報に更新する。また、物品情報処理部５０２は、例えば、以前に取得した物品情報と、新たに端末側物品情報取得部５０１が取得した物品情報とを比較して比較情報を取得するようにしてもよい。
【００２８】
通知部５０３は、例えば、物品情報処理部５０２により更新された物品情報に基づいて、ユーザーに通知を行う。この通知の手段としては、表示部１３４に表示させることにより行う。また、例えば、通知部５０３は、物品情報処理部５０２が取得した比較情報に基づいて、表示部１３４に表示させてもよい。この比較情報に基づいて表示することにより、ユーザーに物品の状態変化を知らせることができる。
【００２９】
次に、本実施形態の牛乳トレイにおける処理のフローの一例について説明する。図６は本実施形態における牛乳トレイの処理のフローの一例を示す図である。
【００３０】
ドア開閉情報取得部４０１は、例えば、ドアセンサ１１４が出力した保管庫のドア開閉情報を取得する（Ｓ１０１）。そして、ドア開閉情報取得部４０１は、ドア開閉情報に基づいて、保管庫のドアが開いたか否かを判定する（Ｓ１０２）。物品情報取得部４０２は、ドア開閉情報に基づいて、ドアが開いたと判定された場合（Ｓ１０２でＹＥＳ）、例えば、物品センサ１１５が検出した物品情報を取得する（Ｓ１０３）。そして、送信制御部４０３は、取得した物品情報を、通信部１１３から送信させる（Ｓ１０４）。この物品情報の送信先は、例えば、端末装置１３０等の外部装置である。一方、Ｓ１０２において、ドア開閉情報取得部４０１がドアが開いたと判定しない場合（Ｓ１０２でＮＯ）、Ｓ１０１に戻る。なお、物品センサ１１５は、ドアが開いた際に物品情報を検出するように構成してもよい。
【００３１】
なお、上記の牛乳トレイにおけるフローはこれに限定されるものではなく、種々の変形が可能である。
【００３２】
例えば、Ｓ１０２において、ドア開閉情報取得部４０１は、ドアが閉まったか否かを判定してもよい。この場合、物品情報取得部４０２は、例えば、ドアが閉まったと判定した場合に、Ｓ１０３に進み、ドアが閉まったと判定しない場合、Ｓ１０１に戻る。このように、ドアが閉まった後に物品情報を送信することにより、例えば、ユーザーが保管庫のドアを開けて作業を終えた後の、保管庫における最新の物品情報を送信することができる。さらに、Ｓ１０４における物品情報の送信のタイミングは、Ｓ１０２で開いたと判定された後に、ドアが閉まったと判定された場合であってもよい。
【００３３】
また、Ｓ１０４における物品情報の送信は、例えば、第１の所定時間（例えば５秒）毎に、複数回送信してもよい。これにより、物品情報の送信不良をカバーし、より確実に物品情報を送信することができる。さらに、Ｓ１０１におけるドア開閉情報の取得に関係なく、第２の所定時間（例えば３０分）毎に、物品センサ１１５で検出された物品情報を送信するようにしてもよい。上記のように、第１の所定時間よりも第２の所定時間を長くして物品情報を送信する構成とすることで、消費電力を抑制しつつ、より最新の物品情報を送信することができる。
【００３４】
次に、本実施形態の端末装置における処理のフローの一例について説明する。図７は、端末装置における処理フローの一例を説明する図である。
【００３５】
端末側物品情報取得部５０１は、例えば、牛乳トレイ１１０から送信された物品情報を取得する（Ｓ２０１）。
【００３６】
物品情報処理部５０２は、例えば、記憶部１３２に記憶されている物品情報を更新する（Ｓ２０２）。より具体的には、物品情報処理部５０２は、例えば、以前に取得され、記憶部１３２に記憶されていた物品情報を、取得した物品情報に更新する。
【００３７】
そして、通知部５０３は、例えば、更新された物品情報に基づいて、例えば表示部１３４に表示させる（Ｓ２０３）
【００３８】
なお、端末装置１３０における処理フローは、上記フローに限定されるものではなく、種々の変形が可能である。例えば、Ｓ２０２においては、物品情報処理部５０２は、記憶部１３２に記憶されている物品情報を更新しているが、例えば、以前の物品情報と、取得した物品情報とを比較して、物品の増減等の物品の比較情報を記憶部１３２に記憶させてもよい。そして、Ｓ２０３でこの比較情報に基づいて、通知部５０３から通知するようにしてもよい。なお、この比較情報に基づく通知は、例えば、物品の増減等があった場合にのみ、通知するようにしてもよい。
【００３９】
本実施形態の物品トレイによれば、物品トレイにおいて、保管庫のドアの開閉情報に基づいて、物品情報を端末装置等の外部装置に送信するため、例えば、外部装置との通信が確立した際に物品情報を送信する場合等に比べて、送信回数を抑制することができ、物品トレイにおける消費電力を抑制することができる。そして、特に、物品トレイが電池の電力で動作する場合、電池の消費電力が抑制されるため、電池の交換時期を延ばすことができる。
【００４０】
なお、本実施形態においては、端末装置における制御部にて、物品トレイから送信された情報の各処理を行うようにしているが、これらの各処理は、例えば、冷蔵庫、サーバ装置等の通信可能な外部装置に備えらえた他の制御部で行うように構成してもよい。例えば、端末装置を冷蔵庫等の保管庫に置き換え、冷蔵庫における表示部に物品情報を表示することにより、冷蔵庫に保管されている物品の状態をユーザーに知らせることができる。
【００４１】
さらに、例えば、物品トレイからの物品情報を冷蔵庫等の保管庫に備えられた通信部を介して、端末装置等の外部装置に送信するように構成してもよい。これにより、物品トレイからの通信距離を短くすることができ、より確実に物品情報を送信することができる。
【００４２】
また、上記物品トレイは、さらに、電源部１１６としての電池の残量を検出する電池残量検出部を備えていてもよい。そして、この電池残量検出部で検出された電池の残量は、上記物品情報に合わせて物品トレイから送信されるように構成されていてもよい。これにより、例えば端末装置１３０の表示部１３４において、電池残量を表示することができ、ユーザーに物品トレイにおける電池の交換時期を知らせることができる。
【００４３】
さらに、例えば、変形例として、物品トレイは卵トレイであってもよい、図８は、卵トレイ８００の一例を示す斜視図である。図９は、卵トレイ８００の概略の上面図である。
【００４４】
本変形例にかかる卵トレイ８００は、取手部８１０と、複数の孔部８３０を有する物品ホルダ８２０と、各孔部８３０に対応する複数の物品センサ１１５と、を有する。上記卵トレイ８００は、その他に、ドアセンサ１１４、通信部１１３、記憶部１１２等を、牛乳トレイ１１０と同様の構成であるため、説明を省略する。この構成により、卵トレイ８００に保持されている卵の数を検出することができる。そして、例えば、検出した卵の数等を、ユーザーに通知するように構成することができる。さらに、例えば、保持されている卵の個数が所定の閾値以下の場合に、端末装置等の表示部にて卵の個数が少なくなっていることを表す通知をユーザー行ってもよい。これにより、ユーザーは卵の購入の必要性を認識することができ、利便性を向上させることができる。
【００４５】
またさらに、上記卵トレイ８００における取手部８１０に、ボタンを押し込むことにより発電する発電部を備えていてもよい。例えば、ユーザーがボタンを押し込んだ際に発電された電力で、卵トレイ８００から物品情報を送信するように構成することにより、卵トレイ８００における電池の省電力化を図るとともに、ユーザーの意思で物品情報を送信することができる。
【００４６】
本発明は、上記実施の形態に限定されるものではなく、上記実施の形態で示した構成と実質的に同一の構成、同一の作用効果を奏する構成又は同一の目的を達成することができる構成で置き換えてもよい。
【００４７】
（第２の実施形態）
次に、本発明の第２の実施形態を説明する。なお、下記において第１の実施形態と同様である点については説明を省略する。
【００４８】
図１０は、本実施形態にかかる物品トレイシステムの一例を示す図である。また、本実施形態においては、ビール（物品）を保持するビールトレイ（物品トレイ）１０１０が、冷蔵庫（図示せず）に収納されている場合を例に説明する。
【００４９】
図１０に示すように、本実施形態における物品トレイシステム１００は、第１の実施形態の物品トレイシステム１００における、牛乳トレイ１１０をビールトレイ１０１０に置き換えたものである。ネットワーク１２０、端末装置１３０については、第１の実施形態と同様であるので、説明を省略する。
【００５０】
次に、本実施形態におけるビールトレイ１０１０の制御部１０１１を中心とした主な構成の一例について説明する。ビールトレイ１０１０は、例えば、制御部１０１１、記憶部１１２、通信部１１３、物品センサ１１５、電源部１１６等を含む。また、電源部１１６は、例えば、電池部１００２、発電部１００３を含む。制御部１０１１、記憶部１１２、通信部１１３、物品センサ１１５等については、第１の実施形態と同様であるため、説明は省略する。
【００５１】
図１１は、本実施形態に係る物品トレイであるビールトレイ１０１０を示す図である。図１２は、図１１に示すビールトレイ１０１０の断面図である。本実施形態にかかるビールトレイ１０１０は、図１１に示すように、第１の実施形態の物品ホルダ２０１の形状が円形になったものである。これにより、ビールトレイ１０１０は、例えば、瓶、缶等の円筒状の物品を保持しやすくすることができる。なお、物品としてのビールは例示であって、これに限定されるものではなく、例えば、瓶、缶等に入れられたジュース等の飲み物であってよい。
【００５２】
上記電源部１１６における電池部１００２は、第１の実施形態における電池に相当し、例えば、電池、蓄電池等の電源である。また、電源部１１６における発電部１００３は、例えば、光、圧力等により発電する電源である。なお、本実施形態においては、発電部１００３が、例えば、振動により発電する発電素子である場合について説明する。発電部１００３は、例えば、ビールトレイ１０１０が収納されている保管庫のドアが開いた等、ビールトレイ１０１０が振動を受けた場合に、発電する。
【００５３】
また、本実施形態における電源部１１６は、例えば、図１３に示すように、電池部１００２、発電部１００３に加え、上記通信部１１３等の各部への電力供給源を電池部１００２と発電部１００３とで切り替えるスイッチ部１３０１、制御部１０１１への電力供給源を電池部１００２と発電部１００３とで切り替える制御部用スイッチ部１３０２を含む。なお、本実施形態においては、スイッチ部１３０１および制御部用スイッチ部１３０２は、初期段階で発電部１００３に接続している場合について説明する。
【００５４】
図１４は、図１０に示すビールトレイ１０１０における制御部１０１１の機能的構成の一例を示す図である。図１４に示すように、本実施形態における制御部１０１１は、例えば、発電検出部１４０１、物品情報取得部４０２、物品情報判定部１４０２、スイッチ制御部１４０３、送信制御部４０３を含む。
【００５５】
発電検出部１４０１は、例えば、発電部１００３による発電を検出する。なお、この発電部１００３で発電される場合とは、例えば、冷蔵庫等の保管庫のドアが開けられた場合、又は閉められた場合が挙げられる。つまり、発電部１００３による発電は、冷蔵庫等の保管庫におけるドアの開閉に由来することから、この発電検出部１４０１による発電の検出は、ドア開閉情報に相当するといえる。
【００５６】
物品情報取得部４０２は、例えば、第１の実施形態と同様に、物品センサ１１５により検出された物品情報を取得する。
【００５７】
物品情報判定部１４０２は、例えば、上記物品センサ１１５により検出された物品情報が異常か否かを判定する。なお、例えば、物品情報が異常である場合とは、電力量が足りず、正常に物品情報を検出できなかった場合等である。
【００５８】
スイッチ制御部１４０３は、例えば、物品情報判定部１４０２における判定結果に基づいて、スイッチ部１３０１および／または制御部用スイッチ部１３０２における接続先を電池部１００２と発電部１００３とで切り替える。
【００５９】
より具体的には、例えば、物品情報判定部１４０２が物品情報が異常であると判定した場合、スイッチ制御部１４０３は、スイッチ部１３０１および制御部用スイッチ部１３０２を、電池部１００２に接続する。つまり、発電部１００３による発電量が足りないため、電力の供給化可能な電池部１００２に接続する。そして、物品情報取得部４０２は、再び物品情報を取得する。これにより、電池部１００２により電力が供給されるため、正常に物品情報が検出される。
【００６０】
一方、例えば、物品情報判定部１４０２が物品情報が異常でない、つまり正常であると判定した場合、送信制御部４０３は、第１の実施形態と同様に、物品情報を通信部１１３から送信させる。これにより、発電部１００３による発電が十分である場合には、物品センサ１１５、通信部１１３等における電力を賄うことができ、電池部１００２の消費電力を抑制することができ、発電部１００３による発電が少ない場合には、正常な物品情報を送信することができる。
【００６１】
また、例えば、スイッチ制御部１４０３は、上記発電部１００３の発電に基づいて、制御部用スイッチ部１３０２を電池部１００２に接続するように構成してもよい。これにより、制御部１０１１への電力供給が滞ることを防止し得る。
【００６２】
さらに、スイッチ制御部１４０２は、例えば、送信制御部４０３による物品情報の送信に基づいて、スイッチ部１３０１および／または制御部用スイッチ部１３０２における接続先を電池部１００２と発電部１００３とで切り替える。より具体的には、スイッチ制御部は、例えば、物品情報の送信後に、スイッチ部１３０１および制御部用スイッチ部１３０２における接続先を発電部１００３に切り替える。
【００６３】
次に、本実施形態におけるビールトレイにおける処理のフローの一例について説明する。図１５は本実施形態におけるビールトレイの処理のフローの一例を示す図である。
【００６４】
発電検出部１４０１は、例えば、発電部１００３による発電を検出する（Ｓ３０１）。発電検出部１４０１による発電が検出されない場合（Ｓ３０１でＮＯ）、Ｓ３０１に戻る。一方、発電検出部１４０１による発電が検出された場合（Ｓ３０１でＹＥＳ）、物品情報取得部４０２は、物品情報を取得する（Ｓ１０３）。物品情報判定部１４０２は、取得された物品情報が異常か否かを判定する（Ｓ３０２）。物品情報判定部が物品情報が異常でないと判定した場合（Ｓ３０２でＮＯ）、送信制御部４０３は、物品情報を通信部１１３から送信させる（Ｓ１０４）。これにより、発電部１００３で発電された電力で、例えば、物品センサ１１５や通信部１１３等における電力が賄われるため、電池部１００２の消費電力を抑制することができる。
【００６５】
一方、Ｓ３０２において、物品情報判定部１４０２が物品情報が異常であると判定した場合（Ｓ３０２でＹＥＳ）、スイッチ制御部１４０３は、スイッチ部１３０１を電池部１００２に接続し（Ｓ３０４）、Ｓ１０３に戻る。これにより、通信部１１３等の各部に供給される十分な電力を確保することができ、通信不良、物品情報の検出不良を抑制し得る。
【００６６】
さらに、通信部１１３が物品情報を送信した後、スイッチ制御部１４０３は、スイッチ部１３０１および制御部用スイッチ部１３０２を発電部１００３に接続する（Ｓ３０５）。これにより、新たに発電部１００３の発電に備えることができる。
【００６７】
なお、本実施形態は、上記のフローに限定されず、種々の変形が可能である。例えば、上記Ｓ３０１では、発電検出部１４０１は発電部１００３による発電を検出したが、発電部１００３における発電量を検出するように構成してもよい。そして、発電量が所定量以上である場合、スイッチ制御部１４０３はスイッチ部１３０１を発電部１００３に接続し、発電検出部１４０１で検出された発電量が所定量未満である場合、スイッチ制御部１４０３はスイッチ部１３０１および制御部用スイッチ部１３０２を電池部１００２に接続するように構成してよい。これにより、発電部１００３により発電された電力を効率よく使用し得る。また、発電検出部１４０１による発電の検出によらず、発電部１００３による発電により制御部１０１１が起動することをもって、冷蔵庫等の保管庫のドアの開閉とみなすようにしてもよい。
【００６８】
本実施形態によれば、発電部による発電により電力を供給できるため、例えば、電池の電力消費を抑制することができる。そのため、電池の交換時期を延ばすことができる。
【００６９】
また、物品センサ１１５は、例えば、さらに、温度センサを含んでいてもよい。この温度センサは、例えば、物品ホルダ２０１に保持された物品１５０である缶ビールの温度を検出する。そして、この温度センサで検出された温度を、物品情報として含めることにより、例えば、物品１５０である缶ビールの温度をユーザーに通知することにより、ビールの飲み頃を端末装置等でユーザーに知らせることができる。
【００７０】
さらに、例えば、電池部１００２における電力残量を検出する電池残量検出部を備えていてもよい。そして、電池残量検出部により検出された電池の電力残量が所定値以下になった場合、通知部を介してユーザーに通知するように構成してもよい。これにより、電池の交換時期をユーザーに通知することができる。
【００７１】
本発明は、上記実施形態に限定されるものではなく、上記実施形態で示した構成と実質的に同一の構成、同一の作用効果を奏する構成又は同一の目的を達成することができる構成で置き換えてもよい。
【符号の説明】
【００７２】
１００  物品トレイシステム、１１０  牛乳トレイ(物品トレイ）、１１１  制御部、１１２  記憶部、１１３  通信部、１１４  ドアセンサ、１１５  物品センサ、１１６  電源部、１２０  ネットワーク、１３０  端末装置、１３１  制御部、１３２  記憶部、１３３  通信部、１３４  表示部、１５０  物品、２０１  物品ホルダ、４０１  ドア開閉情報取得部、４０２  物品情報取得部、４０３  送信制御部、５０１  端末側物品情報取得部、５０２  物品情報処理部、５０３  通知部、８００  卵トレイ、８１０  取手部、８２０  物品ホルダ、８３０  孔部、１００２  電池部、１００３  発電部、１０１０  ビールトレイ（物品トレイ）、１０１１  制御部、１３０１  スイッチ部、１３０２  制御部用スイッチ部、１４０１  発電検出部、１４０２  物品情報判定部、１４０３  スイッチ制御部
【図１】
2020180739.tif 000003
【図２】
2020180739.tif 000004
【図３】
2020180739.tif 000005
【図４】
2020180739.tif 000006
【図５】
2020180739.tif 000007
【図６】
2020180739.tif 000008
【図７】
2020180739.tif 000009
【図８】
2020180739.tif 000010
【図９】
2020180739.tif 000011
【図１０】
2020180739.tif 000012
【図１１】
2020180739.tif 000013
【図１２】
2020180739.tif 000014
【図１３】
2020180739.tif 000015
【図１４】
2020180739.tif 000016
【図１５】
2020180739.tif 000017